(57)【特許請求の範囲】
【請求項１】
テレビ電話に備えられた操作部を操作することにより、通信路を介して受信した情報、又は、入力手段を介して入力した情報を、当該テレビ電話に備えられた表示部に画面表示する際に、該表示部に表示する前記情報の表示領域を抽出して表示可能とするためのテレビ電話における領域抽出方法であって、前記操作部に備えられているテンキーに、前記表示部上に前記表示領域を示す抽出枠を描画する抽出枠描画機能を割り当て、前記テンキーの各数字ボタンそれぞれに割り当てられた、前記抽出枠の描画開始点の選択、該描画開始点と結ぶ次の頂点の選択、前記描画開始点と前記次の頂点とを結ぶ枠線の描画、前記描画開始点の位置及び前記次の頂点の位置の移動及び決定の各機能を、適宜選択して順次操作を繰り返すことにより、前記抽出枠を描画し、描画された前記抽出枠が示す前記表示領域にある前記情報を抽出して表示することを特徴とするテレビ電話における領域抽出方法。
【請求項２】
請求項１に記載のテレビ電話の領域抽出方法において、描画された前記抽出枠を、当該テレビ電話に備えられた記憶部に記憶し、該記憶部に記憶されている前記抽出枠のうち任意の抽出枠を呼び出して、前記表示部に表示する任意の情報に対して、該情報の表示領域を抽出するための抽出枠として適用することが可能であることを特徴とするテレビ電話における領域抽出方法。
【請求項３】
請求項２に記載のテレビ電話における領域抽出方法において、前記記憶部から呼び出された前記抽出枠に関し、前記テンキーの操作により、該抽出枠のいずれか任意の頂点を選択し、表示位置を必要に応じて移動して、決定した後、該抽出枠において選択された前記頂点の対角の位置にある頂点を、前記テンキーの操作により、任意の位置に移動して決定することにより、該抽出枠の拡大・縮小を可能とすることを特徴とするテレビ電話における領域抽出方法。
【請求項４】
当該テレビ電話端末に備えられた操作部を操作することにより、通信路を介して受信した情報、又は、入力手段を介して入力した情報を、当該テレビ電話端末に備えられた表示部に画面表示する際に、該表示部に表示する前記情報の表示領域を抽出して表示することができるテレビ電話端末であって、前記操作部に備えられているテンキーが、前記表示部上に前記表示領域を示す抽出枠を描画する抽出枠描画機能を有し、前記テンキーの各数字ボタンそれぞれに割り当てられた、前記抽出枠の描画開始点の選択、該描画開始点と結ぶ次の頂点の選択、前記描画開始点と前記次の頂点とを結ぶ枠線の描画、前記描画開始点の位置及び前記次の頂点の位置の移動及び決定の各機能を、適宜選択して順次操作を繰り返すことにより、前記抽出枠を描画し、描画された前記抽出枠が示す前記表示領域にある前記情報を抽出して表示することを特徴とするテレビ電話端末。
【請求項５】
請求項４に記載のテレビ電話端末において、描画された前記抽出枠を、当該テレビ電話端末に備えられた記憶部に記憶し、該記憶部に記憶されている前記抽出枠のうち任意の抽出枠を呼び出して、前記表示部に表示する任意の情報に対して、該情報の表示領域を抽出するための抽出枠として適用することが可能であることを特徴とするテレビ電話端末。
【請求項６】
請求項５に記載のテレビ電話端末において、前記記憶部から呼び出された前記抽出枠に関し、前記テンキーの操作により、該抽出枠のいずれか任意の頂点を選択し、表示位置を必要に応じて移動して、決定した後、該抽出枠において選択された前記頂点の対角の位置にある頂点を、前記テンキーの操作により、任意の位置に移動して決定することにより、該抽出枠の拡大・縮小を可能とすることを特徴とするテレビ電話端末。
【発明の詳細な説明】
【０００１】
【発明の属する技術分野】
本発明は、テレビ電話端末に関し、より詳細には、操作部にテンキーを有するテレビ電話端末での領域抽出方法に関する。
【０００２】
【従来の技術】
従来、テレビ電話画面上で領域抽出を行う為にはマウス、ペン型入力装置等、容易に図形を描く事のできる描画操作部で抽出領域を特定していた。
【０００３】
しかし、電話一体型、若しくは電話接続型のテレビ電話ではその描画操作部は外部接続となり、価格が上昇する、という問題があった。
【０００４】
【発明が解決しようとする課題】
前述のように、従来の一体型、若しくは電話接続型のテレビ電話においては、容易に低コストで領域抽出機能が供給できない、という欠点があった。
【０００５】
本発明は、上記課題に鑑み、一体型、若しくは電話接続型のテレビ電話で領域抽出機能を供給する事を目的とする。
【０００６】
【課題を解決するための手段】
本発明は、テレビ電話に備えられた操作部を操作することにより、通信路を介して受信した情報、又は、入力手段を介して入力した情報を、当該テレビ電話に備えられた表示部に画面表示する際に、該表示部に表示する前記情報の表示領域を抽出して表示可能とするためのテレビ電話における領域抽出方法であって、前記操作部に備えられているテンキーに、前記表示部上に前記表示領域を示す抽出枠を描画する抽出枠描画機能を割り当て、前記テンキーの各数字ボタンそれぞれに割り当てられた、前記抽出枠の描画開始点の選択、該描画開始点と結ぶ次の頂点の選択、前記描画開始点と前記次の頂点とを結ぶ枠線の描画、前記描画開始点の位置及び前記次の頂点の位置の移動及び決定の各機能を、適宜選択して順次操作を繰り返すことにより、前記抽出枠を描画し、描画された前記抽出枠が示す前記表示領域にある前記情報を抽出して表示することを特徴としている。
また、本発明は、前述したテレビ電話の領域抽出方法において、描画された前記抽出枠を、当該テレビ電話に備えられた記憶部に記憶し、該記憶部に記憶されている前記抽出枠のうち任意の抽出枠を呼び出して、前記表示部に表示する任意の情報に対して、該情報の表示領域を抽出するための抽出枠として適用することが可能であることを特徴している。
また、本発明は、前述したテレビ電話における領域抽出方法において、前記記憶部から呼び出された前記抽出枠に関し、前記テンキーの操作により、該抽出枠のいずれか任意の頂点を選択し、表示位置を必要に応じて移動して、決定した後、該抽出枠において選択された前記頂点の対角の位置にある頂点を、前記テンキーの操作により、任意の位置に移動して決定することにより、該抽出枠の拡大・縮小を可能とすることを特徴としている。
更に、本発明は、当該テレビ電話端末に備えられた操作部を操作することにより、通信路を介して受信した情報、又は、入力手段を介して入力した情報を、当該テレビ電話端末に備えられた表示部に画面表示する際に、該表示部に表示する前記情報の表示領域を抽出して表示することができるテレビ電話端末であって、前記操作部に備えられているテンキーが、前記表示部上に前記表示領域を示す抽出枠を描画する抽出枠描画機能を有し、前記テンキーの各数字ボタンそれぞれに割り当てられた、前記抽出枠の描画開始点の選択、該描画開始点と結ぶ次の頂点の選択、前記描画開始点と前記次の頂点とを結ぶ枠線の描画、前記描画開始点の位置及び前記次の頂点の位置の移動及び決定の各機能を、適宜選択して順次操作を繰り返すことにより、前記抽出枠を描画し、描画された前記抽出枠が示す前記表示領域にある前記情報を抽出して表示することを特徴としている。
また、本発明は、前述したテレビ電話端末において、描画された前記抽出枠を、当該テレビ電話端末に備えられた記憶部に記憶し、該記憶部に記憶されている前記抽出枠のうち任意の抽出枠を呼び出して、前記表示部に表示する任意の情報に対して、該情報の表示領域を抽出するための抽出枠として適用することが可能であることを特徴としている。
また、本発明は、前述したテレビ電話端末において、前記記憶部から呼び出された前記抽出枠に関し、前記テンキーの操作により、該抽出枠のいずれか任意の頂点を選択し、表示位置を必要に応じて移動して、決定した後、該抽出枠において選択された前記頂点の対角の位置にある頂点を、前記テンキーの操作により、任意の位置に移動して決定することにより、該抽出枠の拡大・縮小を可能とすることを特徴としている。
【０００７】
上記のような本発明に係るテレビ電話における領域抽出方法を適用したテレビ電話端末あるいは本発明に係るテレビ電話端末は、該テレビ電話端末の追加コストが発生することなく、通常の電話番号等の入力に用いられるテンキーの操作により、表示部に表示する情報の表示領域を示す抽出枠を、任意に描画して作成したり選択することが可能な為、例えば画像を用いたカタログショッピングでモデルの顔と購入ユーザーの顔とを入れ替え、試着体験した後、購入を行う、などのような商品購入システムにも適用可能とすると共に、かくのごとき各種のシステムの構築が低コストで可能となる。
【０００８】
【発明の実施の形態】
本発明の実施の形態について、図面を参照して以下に説明する。
【０００９】
図１は、本発明によるテレビ電話端末の一実施の形態を示す構成図である。図中、１１は通信路、１２は通信制御部、１３は操作制御部、１３ａはトーン検知部、１４は操作部、１４ａはテンキー、１５は符号化部、１６はＣＰＵ（Ｃｅｎｔｒａｌ Ｐｒｏｃｅｓｓｉｎｇ Ｕｎｉｔ）、１７はＲＯＭ（Ｒｅａｄ Ｏｎｌｙ Ｍｅｍｏｒｙ）、１８はＲＡＭ（Ｒａｎｄｏｍ Ａｃｃｅｓｓ Ｍｅｍｏｒｙ）、１９は外部記憶制御部、２０は外部記憶装置、２１は画像入力部、２２は表示制御部、２３は表示部である。
【００１０】
通信路１１から受信された画像情報を含む信号は、通信制御部１２を通り、画像情報と他の情報が分離された後、画像情報が一旦ＲＡＭ１８に蓄積される。操作部１４から操作制御部１３が受け取る信号によって表示操作が行われると、ＲＯＭ１７はＣＰＵ１６を駆動し画像情報をＲＡＭ１８から読み出し、符号化部１５で復号され、表示制御部２２を通し、画像信号として表示部２３に表示される。
【００１１】
表示部２３に表示し、確認された画像情報は、操作部１４からの操作により外部記憶制御部１９を通して外部記憶装置２０に記憶させる事もできる。
【００１２】
本実施の形態では、本発明による画像抽出が行える様、操作制御部１３、トーン検知部１３ａ、操作部１４、及びテンキー１４ａを備えるものとする。
【００１３】
図２は、本発明によるテレビ電話における領域抽出方法の操作の一例を示すフローチャートである。以下、各ステップ（Ｓ）に従って順に説明する。
【００１４】
まず、ステップＳ２０で電源を投入するとステップＳ２１で待ち受け状態となる。その後ステップＳ２２で画像情報が入力される、若しくは画像情報を受信するとＳ２３でその画像情報をＲＡＭ１８に記憶する。ここで領域抽出を希望する場合はステップＳ２４でメニューボタン押下によりメニューを選択し、ステップＳ２５でメニュー画面を表示させる。
【００１５】
表示部２３への情報の表示領域の抽出枠描画機能として、メニューで２辺による任意領域抽出（即ち、四角形状の抽出枠の描画）が選択されると（ステップＳ２６）ステップＳ２７でＲＡＭ１８に記憶した画像情報を読み出し表示部２３に表示する。その後その画像上にステップＳ２８で領域抽出に使用するポインターを表示させる。
【００１６】
ステップＳ２９では操作部１３中のテンキー１３ａのカーソル機能を割り当てられたキーを操作する事によりポインターを抽出したい領域の１辺に移動させる。
【００１７】
本発明は、テンキーに表示部２３上に表示する情報の表示領域を示す抽出枠を描画する抽出枠描画機能を割り当てることを特徴としており、例えば抽出枠として四角形状の図形を使用する場合は、抽出枠を描画する際の描画開始点や該描画開始点と結ぶ次の頂点を選択して指定し、かつ、表示位置を決定する機能として、テンキーの四角形状の左上の頂点をキー１、右上の頂点を３、左下の頂点を７、さらに右下の頂点を９の４つのキーと対応させる事となる。
【００１８】
従い、各頂点位置を移動させたり、枠線を描画させたりするカーソル機能はそれ以外のキーに割り当てられ、例えば上移動が２、左移動用に４、右移動用に６、下移動用に８を使用する事となる（図６参照）。なお、このキー機能割り当ては使用する領域抽出枠の形状によって変更させる事も可能であるが、ここでは便宜的に四角形状を使用する場合について説明する。
【００１９】
ポインターを開始点に移動後、ステップＳ２１０で開始点（描画開始点）がキー操作により選択されるとステップＳ２１１に移り、カーソルボタン（カーソル機能のテンキー）の連続押下（ステップＳ２１２）により線が引かれる。ステップＳ２１０、ステップＳ２１１でそれぞれ開始点選択、ボタン押下が行われない場合は次ステップへ移動せず、待機状態となる。
【００２０】
ステップＳ２１３で１辺の終了点にテンキー上で対応するボタンが選択されるとステップＳ２１４でカーソル位置情報を含むステップＳ２１３の画像をＲＡＭ１８に記憶する。ステップＳ２１３で１辺の描線を終了させている為、ステップＳ２１５でカーソルボタンが押下されるとステップＳ２１６でカーソルボタンの方向に２辺目が引かれる。
【００２１】
ステップＳ２１７で２辺目の終点が選択されると引かれた２線を２辺とする四角形を選択領域（抽出枠）として表示部２３に表示する（ステップＳ２１８）。その後、ステップＳ２１９で抽出領域（抽出枠）確定が行われるとステップＳ２２０で作成した抽出枠を登録するか、否かの選択を行う。
【００２２】
登録を行う場合はステップＳ２２１でその抽出枠をＲＡＭ１８に記憶し、ステップＳ２２２で一連の領域抽出手順を終了する。ステップＳ２２０で作成した抽出枠の登録を希望しない場合はステップＳ２２２に移動し、手順を終了する。
【００２３】
又、ステップＳ２１９で抽出枠の確定を行わない場合はステップＳ２２３へ移り、抽出枠を修正するか、否かの選択を行う。修正を行う場合はステップＳ２２４で表示中の画像を全て消去した後、ステップＳ２７へ戻り、入力手順を開始する。
【００２４】
図３は、本発明によるテレビ電話における領域抽出方法の操作の他の例を示すフローチャートである。図３に示す領域抽出手順においては、ＲＡＭ１８に記憶されている抽出枠のうち、四角形状の抽出枠を選択して、任意の情報に対する表示領域として位置・大きさを調節して適用する場合を例にとって示している。以下、各ステップ（Ｓ）に従って順に説明する。
【００２５】
まず、ステップＳ３０で電源を投入するとステップＳ３１で待ち受け状態となる。その後ステップＳ３２で画像情報が入力される、若しくは画像情報を受信するとＳ３３でその画像情報をＲＡＭ１８に記憶する。
【００２６】
ここで領域抽出を希望する場合はステップＳ３４でメニューボタン押下によりメニューを選択し、ステップＳ３５でメニュー画面を表示させる。
【００２７】
ここで既に作成、登録済みのユーザー作成の領域抽出枠が選択されると（ステップＳ３６）登録してある抽出枠が複数の場合、ステップＳ３７で希望の抽出枠が選択されると、ステップＳ３８でＲＡＭ１８に記憶した画像情報を読み出し表示部２３に表示し、同時にステップＳ３７で選択した枠を表示部２３に表示する。
【００２８】
その後、抽出枠を希望位置に移動させる為に基準となる点（抽出枠のいずれか任意の頂点）を操作部テンキー１４ａ上で対応するボタン押下にて選択する（ステップＳ３９）。ステップＳ３１０でその基準点を操作部テンキー１４ａ上でカーソル機能を付与されたボタン操作により移動させ、ステップＳ３１１で希望する位置に点が来たら再度基準点に該当するテンキーボタンを押下して位置決定を行う。
【００２９】
位置決定が行われると、ポインターは、抽出枠の任意の頂点の一つである基準点の対角の位置にある頂点まで移動する（ステップＳ３１２）。ステップＳ３１３ではそのポインターをカーソル機能ボタンにて位置移動させる。ポインターの位置移動と同時に、抽出枠は拡大縮小され、希望するサイズを確認しながら選択する事ができる。
【００３０】
希望する図形を決定させる為には移動させている点に対応するボタンをテンキー上で押下する事により移動中であった点は固定して、抽出枠が決定され（ステップＳ３１４）、領域抽出手順は終了する（ステップＳ３１５）。
【００３１】
図４は、図２に示す領域抽出方法の一実施の形態である、四角形を用いた領域抽出を行う場合の表示画面遷移を説明する図である。図４では手順を示すメッセージが表示画像上に表示されているが、画像を表示せず、メッセージのみ表示する方法、手順メッセージを表示しない等、他の方法も考えられる。以下、画面の遷移を各ステップ（Ｓ）に従って順に説明する。
【００３２】
ステップＳ４０は図２中のステップＳ２８の表示状態を図解したもので、表示部に画像とポインターを表示させる。その次のステップＳ４１は表示部に以降の操作手順を表示させたものであって、上記の通り省略する事も可能である。
【００３３】
その次のステップＳ４２は、テンキー操作部１４ａのボタン２と４でポインターを移動させ、ボタン１を選択し、左上の点を開始位置として固定し、ボタン６を連続押下し描線を行った場合の表示状態を示し、これは図２中のステップＳ２１０からステップＳ２１２に当たる。
【００３４】
その後、一辺の終了点に当たるボタン３が選択されるとステップＳ４３に移り、２辺目の描線手順を示すメッセージを表示させるが、メッセージは省略する事も可能である。
【００３５】
ここでテンキー操作部１４ａのボタン８が連続押下されると、ステップＳ４４の表示状態となり、２辺目が描線される。（図２のステップＳ２１５、ステップＳ２１６に相当。）その後、２辺目の終了点に当たるボタン９が押下されると２辺目が確定され、既に引かれた２辺を基に領域枠が作成され、ステップＳ４５の図となる（図２ではステップＳ２１８に相当。）。
【００３６】
図５は、図３に示す領域抽出方法の一実施の形態である、登録済みの四角形を用いた領域抽出を行う場合の表示画面遷移を説明する図である。図４と同様、図５に於いても手順を示すメッセージが表示画像上に表示されているが、他の方法も考えられる。
【００３７】
以下、画面の遷移を各ステップ（Ｓ）に従って順に説明する。
【００３８】
ステップＳ５０は図３中のステップＳ３８の表示状態を図解したものである。ステップＳ５０表示後、ステップＳ５１のような手順メッセージを表示する事もできるが上記の通り省略する事もできる。
【００３９】
ステップＳ５１表示後、左上の点を基準点として選択希望する場合、テンキー１４ａで抽出枠の左上に相当するボタン１を選択し、カーソル機能が付与されたボタン２と４で選択点を希望位置までカーソルで移動させる。
【００４０】
次に再度ボタン１を押下する事により基準点を固定した際の表示状態がステップＳ５２となり、これは図３中のステップＳ３９からステップＳ３１１に当たる。
【００４１】
移動基準点固定後、ポインターはその対角に移動し、手順メッセージが表示される場合は表示される（ステップＳ５３）。図例では、左上の点を移動させていた為、位置固定の為のボタン１押下によりポインターは右下に移動する。
【００４２】
その後、枠のサイズを調整する為、ボタン６と８で右下の点を移動させるとステップＳ５４の表示状態となり、点の移動と同時に領域枠も変化する為、領域枠のサイズを確認しながら調整を行う事ができる。希望のサイズが決定すると移動させていた右下の点に対応するボタン９を押下する事により位置を決定する。
【００４３】
その際の表示画面状態を示したものがステップＳ５５であり、図３中のステップＳ３１４に対応する。
【００４４】
図６は本発明によるテレビ電話の端末の１例であり、テンキー拡大図は本発明の領域抽出方法の為の機能割り当ての１例を示したものである。
【００４５】
【発明の効果】
以上説明したように、本発明によるテレビ電話における領域抽出方法を適用したテレビ電話端末は、該テレビ電話端末の追加コストが発生することなく、通常の電話番号等の入力に用いられるテンキーの操作により、容易に表示部に表示する情報の表示領域を示す抽出枠を、任意に描画して作成したり選択することが可能な為、例えば画像を用いたカタログショッピングでモデルの顔と購入ユーザーの顔とを入れ替え、試着を行い、購入する、などのような商品購入システムにも適用可能とすると共に、かくのごとき各種のシステムの構築が低コストで可能となる。
【図面の簡単な説明】
【図１】本発明によるテレビ電話端末の一実施の形態を説明するためのブロック図である。
【図２】本発明によるテレビ電話端末における領域抽出手順の一例を示すフローチャートである。
【図３】本発明によるテレビ電話端末における領域抽出手順の他の例を示すフローチャートである。
【図４】本発明によるテレビ電話端末における図２に示す領域抽出手順の実行時の操作画面遷移図である。
【図５】本発明によるテレビ電話端末における図３に示す領域抽出手順の実行時の操作画面遷移図である。
【図６】本発明によるテレビ電話の端末のテンキー機能割り当ての一実施の形態である。
【符号の説明】
１１ 通信路
１２ 通信制御部
１３ 操作制御部
１３ａ トーン検知部
１４ 操作部
１４ａ テンキー
１５ 符号化部
１６ ＣＰＵ（Ｃｅｎｔｒａｌ Ｐｒｏｃｅｓｓｉｎｇ Ｕｎｉｔ）
１７ ＲＯＭ（Ｒｅａｄ Ｏｎｌｙ Ｍｅｍｏｒｙ）
１８ ＲＡＭ（Ｒａｎｄｏｍ Ａｃｃｅｓｓ Ｍｅｍｏｒｙ）
１９ 外部記憶制御部
２０ 外部記憶装置
２１ 画像入力部
２２ 表示制御部
２３ 表示部
【図１】
0003575957.tif 000002
【図２】
0003575957.tif 000003
【図３】
0003575957.tif 000004
【図４】
0003575957.tif 000005
【図５】
0003575957.tif 000006
【図６】
0003575957.tif 000007